【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
流体吐出装置において、
ポンプ室、
前記ポンプ室に結合された吐出ノズル、及び
流体を前記ポンプ室から前記吐出ノズルを通って吐出させるよう構成されたアクチュエータ、
を備えた流体吐出器と、
前記ポンプ室の流体入口に流体的に接続された流入供給チャネルの表面に形成された第１の適合組立体と、
前記ポンプ室の流体出口に流体的に接続された流出供給チャネルの表面に形成された第２の適合組立体と
を備え、
前記吐出ノズルの適合度合は、前記第１の適合組立体の適合度合及び前記第２の適合組立体の適合度合より大きい、流体吐出装置。
【請求項２】
前記第１の適合組立体の適合度合は、前記第２の適合組立体の適合度合より小さい、請求項１記載の流体吐出装置。
【請求項３】
前記第１の適合組立体は、第１の適合ノズルを含み、前記第２の適合組立体は、第２の適合ノズルを含む、請求項１記載の流体吐出装置。
【請求項４】
前記第１の適合ノズルは前記第２の適合ノズルと異なる寸法を有する、請求項３記載の流体吐出装置。
【請求項５】
前記第１の適合ノズルの幅は、前記第２の適合ノズルの幅より小さい、請求項４記載の流体吐出装置。
【請求項６】
前記第１の適合ノズルの長さは、前記第２の適合ノズルの長さより大きい、請求項４記載の流体吐出装置。
【請求項７】
前記吐出ノズルは前記第１の適合ノズル、前記第２の適合ノズル、又は両方の寸法と異なる寸法を有する、請求項３記載の流体吐出装置。
【請求項８】
前記第１の適合組立体は、複数の第１の適合ノズルを含み、前記第２の適合組立体は、複数の第２の適合ノズルを含む、請求項３記載の流体吐出装置。
【請求項９】
第１の適合ノズルの数は、第２の適合ノズルの数と異なる、請求項８記載の流体吐出装置。
【請求項１０】
（１）前記複数の第１の適合ノズルを前記流入供給チャネルの表面上に不均一に分布させるか、（２）前記複数の第２の適合ノズルを前記流出供給チャネルの表面上に不均一に分布させるか、又は（３）（１）と（２）の両方である、請求項８記載の流体吐出装置。
【請求項１１】
前記第１の適合ノズルの形状は前記第２の適合ノズルの形状と異なる、請求項３記載の流体吐出装置。
【請求項１２】
前記第１の適合ノズルは、前記流入供給チャネルの表面の内面上に内側開口と、前記流入供給チャネルの表面の外面上に外側開口とを画定し、
前記第２の適合ノズルは、前記流出供給チャネルの表面の内面上に内側開口と、前記流出供給チャネルの表面の外面上に外側開口とを画定する、請求項３記載の流体吐出装置。
【請求項１３】
前記流入供給チャネルの表面内に形成された制限要素を含む請求項１記載の流体吐出装置。
【請求項１４】
前記吐出ノズルはノズル層内に形成され、前記ノズル層は前記流入チャネルの表面と前記流出チャネルの表面とを含む、請求項１記載の流体吐出装置。
【請求項１５】
流体吐出装置において、
ポンプ室、
前記ポンプ室に結合された吐出ノズル、及び
流体を前記ポンプ室から前記吐出ノズルを通って吐出させるよう構成されたアクチュエータ、
を備えた流体吐出器と、
前記ポンプ室の流体入口に流体的に接続された流入供給チャネルの表面に形成された第１の適合組立体と、
前記ポンプ室の流体出口に流体的に接続された流出供給チャネルの表面に形成された第２の適合組立体と
を備え、
前記第１の適合組立体の適合度合は、前記第２の適合組立体の適合度合と異なり、
前記第１の適合組立体の気泡圧は、前記吐出ノズルの気泡圧より大きい、流体吐出装置。
【請求項１６】
前記第１の適合組立体は、第１の適合ノズルを含み、前記第２の適合組立体は、第２の適合ノズルを含む、請求項１５記載の流体吐出装置。
【請求項１７】
前記第１の適合組立体は、複数の第１の適合ノズルを含み、前記第２の適合組立体は、複数の第２の適合ノズルを含む、請求項１６記載の流体吐出装置。
【請求項１８】
前記第１の適合ノズルは前記第２の適合ノズルと異なる寸法を有する、請求項１６記載の流体吐出装置。
【請求項１９】
前記第１の適合ノズルの幅は、前記第２の適合ノズルの幅より小さい、請求項１８記載の流体吐出装置。
【請求項２０】
前記第１の適合ノズルの長さは、前記第２の適合ノズルの長さより大きい、請求項１８記載の流体吐出装置。
【請求項２１】
流体吐出装置において、
ポンプ室、
前記ポンプ室に結合された吐出ノズル、及び
流体を前記ポンプ室から前記吐出ノズルを通って吐出させるよう構成されたアクチュエータ、
を備えた流体吐出器と、
前記ポンプ室の流体入口に流体的に接続された流入供給チャネルの表面に形成された第１の適合組立体と、
前記ポンプ室の流体出口に流体的に接続された流出供給チャネルの表面に形成された第２の適合組立体と
を備え、
前記第１の適合組立体の適合度合は、前記第２の適合組立体の適合度合と異なり、
前記第２の適合組立体の気泡圧は、前記吐出ノズルの気泡圧より小さい、流体吐出装置。
【請求項２２】
前記第１の適合組立体は、第１の適合ノズルを含み、前記第２の適合組立体は、第２の適合ノズルを含む、請求項２１記載の流体吐出装置。
【請求項２３】
前記第１の適合組立体は、複数の第１の適合ノズルを含み、前記第２の適合組立体は、複数の第２の適合ノズルを含む、請求項２２記載の流体吐出装置。
【請求項２４】
前記第１の適合ノズルは前記第２の適合ノズルと異なる寸法を有する、請求項２２記載の流体吐出装置。
【請求項２５】
前記第１の適合ノズルの幅は、前記第２の適合ノズルの幅より小さい、請求項２４記載の流体吐出装置。
【請求項２６】
前記第１の適合ノズルの長さは、前記第２の適合ノズルの長さより大きい、請求項２４記載の流体吐出装置。
【請求項２７】
流体吐出装置において、
ポンプ室、
前記ポンプ室に結合された吐出ノズル、及び
流体を前記ポンプ室から前記吐出ノズルを通って吐出させるよう構成されたアクチュエータ、
を備えた流体吐出器と、
前記ポンプ室の流体入口に流体的に接続された流入供給チャネルの表面に形成された第１の適合組立体と、
前記ポンプ室の流体出口に流体的に接続された流出供給チャネルの表面に形成された第２の適合組立体と
を備え、
前記第１の適合組立体の適合度合は、前記第２の適合組立体の適合度合と異なり、
前記第１の適合組立体は、第１の適合ノズルを含み、前記第２の適合組立体は、第２の適合ノズルを含み、
前記第１の適合ノズルの長さは、前記第１の適合ノズルの幅より大きい、流体吐出装置。
【請求項２８】
前記第１の適合組立体は、第１の適合ノズルを含み、前記第２の適合組立体は、第２の適合ノズルを含む、請求項２７記載の流体吐出装置。
【請求項２９】
前記第１の適合組立体は、複数の第１の適合ノズルを含み、前記第２の適合組立体は、複数の第２の適合ノズルを含む、請求項２８記載の流体吐出装置。
【請求項３０】
前記第１の適合ノズルは前記第２の適合ノズルと異なる寸法を有する、請求項２８記載の流体吐出装置。
【請求項３１】
前記第１の適合ノズルの幅は、前記第２の適合ノズルの幅より小さい、請求項３０記載の流体吐出装置。
【請求項３２】
流体吐出装置において、
ポンプ室、
前記ポンプ室に結合された吐出ノズル、及び
流体を前記ポンプ室から前記吐出ノズルを通って吐出させるよう構成されたアクチュエータ、
を備えた流体吐出器と、
前記ポンプ室の流体入口に流体的に接続された流入供給チャネルの表面に形成された第１の適合組立体と、
前記ポンプ室の流体出口に流体的に接続された流出供給チャネルの表面に形成された第２の適合組立体と
を備え、
前記第１の適合組立体の適合度合は、前記第２の適合組立体の適合度合と異なり、
前記第１の適合組立体は、第１の適合ノズルを含み、前記第２の適合組立体は、第２の適合ノズルを含み、
前記吐出ノズルは前記第１の適合ノズル、前記第２の適合ノズル、又は両方の寸法と異なる寸法を有し、
前記吐出ノズルの幅は前記第１の適合ノズルの幅及び前記第２の適合ノズルの幅より大きく、
前記吐出ノズルの長さは前記第１の適合ノズルの長さ及び前記第２の適合ノズルの長さより小さい、流体吐出装置。
【請求項３３】
前記第１の適合ノズルの幅は、前記第２の適合ノズルの幅より小さく、
前記第１の適合ノズルの長さは、前記第２の適合ノズルの長さより大きい、請求項３２記載の流体吐出装置。